(57)【要約】【課題】ある程度大径な被測定物を含む被対象物であっても確実に咬持させることができるクリップ構造の提供。【解決手段】被測定物を含む被対象物に咬持させるべく開閉自在に軸支された一対の咬持片部１５，１５のうち、少なくともそのいずれか一方が常閉方向に付勢されて咬持面１６，１６相互の噛合を自在に形成されたクリップ１２において、咬持片部１５，１５のうちのうち、少なくともいずれか一方の咬持片部１５には、奥寄りに位置する咬持面１６に被対象物の周方向での部分的な導入を許す受け溝部１８を具備させた。【選択図】図１
2005308690.tif 000002
【特許請求の範囲】
【請求項１】
被測定物を含む被対象物に咬持させるべく開閉自在に軸支された一対の咬持片部のうち、少なくともそのいずれか一方が常閉方向に付勢されて咬持面相互の噛合を自在に形成されたクリップにおいて、
前記咬持片部のうち、少なくともいずれか一方の咬持片部には、奥寄りに位置する咬持面に前記被対象物の周方向での部分的な導入を許す受け溝部を具備させたことを特徴とするクリップ構造。
【請求項２】
前記咬持片部は、前記受け溝部の隣接奥端側に位置する咬持面を他方の咬持片部の咬持面との噛合を自在にして形成した請求項１に記載のクリップ構造。
【発明の詳細な説明】
【技術分野】
【０００１】
本発明は、所要の電気的特性を測定する際などに確実に接触・固定させておくことができるように被測定物を含む被対象物への咬持を自在に形成されたクリップ構造に関する技術である。
【背景技術】
【０００２】
図４は、従来からあるクリップ式四端子測定用プローブを例としたクリップ構造の一例を示す説明図であり、下記特許文献１において従来技術として示されているものである。
【特許文献１】特開平９−８００７５号公報
【０００３】
同図によれば、クリップ式４端子測定用プローブ１は、それぞれの先端部側に位置させた咬持片部３，３の咬持面３ａ，３ａ相互が略Ｖ字形を呈する捩りバネ６を介装させた回転支軸５（軸中心位置Ｏ１）を介して閉方向に当接付勢されて開閉自在に組み合わされる一対のケーシング本体２，２と、これら各ケーシング本体２の咬持面３ａの面方向に沿わせて配設される接触端子７ａにリード線７ｂの一端部が接続され、その他端部が基端部側に位置させた開閉操作部４から導出されてなるプローブ本体７とでその全体が構成されている。
【０００４】
図５は、従来からあるクリップ式４端子測定用プローブの他例を示すものであり、そのうちの（ａ）は、全体形状についての側面図を、（ｂ）は、（ａ）において二点鎖線で囲繞されている部位についての拡大図をそれぞれ示す。
【０００５】
図５に示す例においてクリップ８を構成している露出させた各咬持片部３の咬持面３ａは、その閉止時に相互に噛合する鋸歯状となって形成されており、図５（ａ）に示すようにその咬持位置を前後に変えることにより、外径を異にする各被測定物としての被対象物Ｌ１，Ｌ２に対してもある程度は柔軟に対応させながら確実に咬持させて測定作業を遂行することができるようになっている。なお、図中の符号２は、開閉操作を行うための把持部を示す。
【発明の開示】
【発明が解決しようとする課題】
【０００６】
しかし、図４に示すクリップ構造や図５に示すクリップ８による場合には、図６（ｂ）に示すように被測定物としての被対象物Ｌ３ が被対象物Ｌ１，Ｌ２よりも大径になるにつれ十分な咬持力を発揮させることができなくなり、咬持させようとしても図中の矢印方向へと滑って逃げ出してしまう不都合があった。また、このような現象は、例えば捩りバネ６の付勢力を強くして対応しようとしても回避することができなかった。
【０００７】
本発明は、従来技術にみられた上記課題に鑑み、図６（ｂ）に示すようにある程度大径な被測定物を含む被対象物であっても確実に咬持させることができるクリップ構造を提供することを目的とする。
【課題を解決するための手段】
【０００８】
本発明は、上記目的を達成すべくなされたものであり、被測定物を含む被対象物に咬持させるべく開閉自在に軸支された一対の咬持片部のうち、少なくともそのいずれか一方が常閉方向に付勢されて咬持面相互の噛合を自在に形成されたクリップにおいて、前記咬持片部のうち、少なくともいずれか一方の咬持片部には、奥寄りに位置する咬持面に前記被対象物の周方向での部分的な導入を許す受け溝部を具備させたことを最も主要な特徴とする。
【０００９】
この場合、前記咬持片部は、前記受け溝部の隣接奥端側に位置する咬持面を他方の咬持片部の咬持面との噛合を自在にして形成しておくのが好ましい。
【発明の効果】
【００１０】
本発明によれば、開閉自在に軸支された一対の咬持片部のうち、少なくともいずれか一方の咬持片部には、奥寄りに位置する咬持面に被測定物を含む被対象物の周方向での部分的な導入を許す受け溝部を設けてあるので、比較的大径な被対象物であってもその一部を受け溝部内に導入した上で、その前後を咬持面を介して咬持させることにより、被対象物が滑動して逃げ出すのを確実に防止することができる。
【発明を実施するための最良の形態】
【００１１】
図１は、本発明をクリップ式４端子測定用プローブに適用した場合の一例を示すものであり、そのうちの（ａ）は、その全体形状についての側面図を、（ｂ）は、（ａ）において二点鎖線で囲繞されている部位についての拡大図をそれぞれ示す。
【００１２】
同図によれば、クリップ式４端子測定用プローブ１１がその先端側に備えるクリップ１２は、被測定物を含む被対象物に対し電気的に接触させた状態のもとで咬持させるべく開閉自在に軸支された一対の咬持片部１５，１５を備えており、これらの咬持片部１５，１５は、支軸部１９に介装させた捩りバネ（図示せず）を介して常閉方向に付勢されて相互の噛合が自在となって形成されている。なお図中の符号２３は、開操作を行うための把持部を、２４は、把持部２３から引き出されているリード線をそれぞれ示す。
【００１３】
すなわち、導電材からなる一対の咬持片部１５，１５は、相互の対面部位に鋸歯部１７を設けてなる咬持面１６をそれぞれ備えており、これら咬持面１６，１６相互は、その閉止に圧接する鋸歯部１７，１７を介して噛合されることになる。
【００１４】
しかも、一対の咬持片部１５，１５の先端部１３から奥端部１４へと至る部位に形成されている各咬持面１６は、奥寄りに位置する噛合部位、例えば図１に示すように奥端に少なくとも相互に１カ所の噛合部位を形成し得る鋸歯部１７を残置させた適宜長さの前方部位を鋸歯部１７を設けない平坦面とするなどしてなる受け溝部１８を備えて形成されており、把持部２３，２３相互を押し込んで開操作をした際に、図２に示すように、これら受け溝部１８，１８相互間に比較的大径な被測定物を含む被対象物Ｌ３を部分的に導入することができるようになっている。
【００１５】
この場合、各咬持片部１５に形成される受け溝部１８は、図１（ｂ）に示されているように、咬持面１６の奥端部１４側に少なくとも１以上の鋸歯部１７を残置させた位置関係のもとで形成するのが好ましいが、必要により図３に示すように鋸歯部１７を残置させることなく奧端に至る部位にまで到達するようにして形成しておくこともできる。
【００１６】
次に、上記構成からなるクリップ１２の作用を説明すれば、例えば図６に示す比較的小径な被測定物を含む被対象物Ｌ１，Ｌ２に対しては、把持部２３，２３を操作して一対の咬持片部１５，１５を開状態とした上でこれを鋸歯部１７，１７相互間に導入することで確実に咬持させることができる。
【００１７】
一方、比較的大径な被測定物を含む被対象物Ｌ３に対しては、同様に把持部２３，２３を操作して一対の咬持片部１５，１５を開状態とした上で、これを受け溝部１８，１８相互間に部分的に導入した後、咬持片部１５，１５を閉状態とする。
【００１８】
このとき、受け溝部１８の前後に位置する鋸歯部１７は、図２に示すように被対象物Ｌ３の周面と当接して咬持した状態となる。つまり、被対象物Ｌ３は、受け溝部１８内にその一部が導入された状態のもとで鋸歯部１７により咬持される結果、被対象物Ｌ３が滑動して逃げ出すのを確実に防止することができることになる。
【００１９】
しかも、図２に示すように奥端側にも鋸歯部１７を備えている場合には、いちいち手元を気にすることなく細径な被対象物を奥端に位置する鋸歯部１７，１７相互間に導き入れることで、簡単に咬持させることができるので、大量測定時においても疲労感を伴うことなく円滑に測定等の作業を行うことができる。
【００２０】
また、受け溝部１８を図３に示すように奥端に至るまで形成してある場合には、受け溝部１８の前寄りに鋸歯部１７が位置しているので、被測定物を含む被対象物Ｌ３の一部を受け溝部１８内に導入した状態のもとで前寄りの鋸歯部１７により咬持される結果、被対象物Ｌ３が滑動して逃げ出すのを同様にして防止することができる。
【００２１】
以上は、本発明を図示例のクリップ式４端子測定用プローブに適用した場合について説明したものであり、その具体的な内容はこれに限られるものではない。例えば、一対の咬持片部  は、所望に応じそのいずれか一方を固定側とし、他方を常閉方向に付勢された可動側とすることで、開閉自在に形成することができる。また、受け溝部１８は、いずれか一方の咬持片部１５の咬持面１６にのみ形成し、他方の咬持片部１５の咬持面１６を鋸歯部１７のみで形成することもできる。さらに、受け溝部１８は、咬持片部１５の咬持面１６の二カ所以上に形成して、径を異にする比較的大径な被対象物にも柔軟に対応させることができるようにすることもできる。
【産業上の利用可能性】
【００２２】
本発明は、クリップ式４端子測定用プローブに好適に適用することができるが、被測定物を含む適宜の被対象物を咬持する開閉自在なクリップ構造を備えるものでさえあれば、例えば鰐口クリップなど、適宜の止着具に適用することができる。
【図面の簡単な説明】
【００２３】
【図１】本発明をクリップ式４端子測定用プローブに適用した場合の一例を示すものであり、そのうちの（ａ）は、その全体形状についての側面図を、（ｂ）は、（ａ）において二点鎖線で囲繞されている部位についての拡大図をそれぞれ示す。
【図２】本発明の使用状態例を示す要部拡大図。
【図３】本発明の他例を図１（ｂ）に対応させて示す要部拡大部。
【図４】従来からあるクリップ式四端子測定用プローブを例としたクリップ構造の一例を示す説明図。
【図５】従来からあるクリップ式４端子測定用プローブの他例を示すものであり、そのうちの（ａ）は、全体形状についての側面図を、（ｂ）は、（ａ）において二点鎖線で囲繞されている部位についての拡大図をそれぞれ示す。
【図６】図５に示す従来例の使用状態を要部を拡大して示す説明図であり、そのうちの（ａ）は、径を異にする比較的小径な被対象物に咬持させた場合を、（ｂ）は、比較的大径な被対象物に咬持させようとする場合をそれぞれ示す。
【符号の説明】
【００２４】
１１  クリップ式４端子測定用プローブ
１２  クリップ
１３  先端部
１４  奧端部
１５  咬持片部
１６  咬持面
１７  鋸歯部
１８  受け溝部
１９  支軸部
２３  把持部
２４  リード線
Ｌ１，Ｌ２，Ｌ３  被対象物
【図１】
2005308690.tif 000003
【図２】
2005308690.tif 000004
【図３】
2005308690.tif 000005
【図４】
2005308690.tif 000006
【図５】
2005308690.tif 000007
【図６】
2005308690.tif 000008